(57)【特許請求の範囲】
【請求項１】
基材の裏面に設けた粘着手段を介して台紙が重ね合わされたラベルであって、
基材から台紙に達するミシン目などからなる二条の切り取り部により前記ラベルを返信葉書と、この返信葉書の両側に位置する一対の貼着部とに分離可能に区分し、
前記返信葉書は、前記基材と台紙とが粘着手段を介して剥離困難に貼り合わされて表面に配送先情報記載部と返信先情報記載部とを有し裏面に注文情報記載部を有し、
前記貼着部それぞれは、基材の裏面に設けた前記粘着手段が表面に剥離処理した台紙により剥離可能に覆われて、前記二条の切り取り部の外側に沿って貼着部側の台紙に基材に達しない深さにして入れられたスリットから台紙を剥離して貼着部側の粘着手段が表出可能に設けられていることを特徴とする返信葉書付き配送ラベル。
【請求項２】
上記少なくとも一方の貼着部における表面側に上記配送先情報記載部に記載される配送情報に関連する情報を記載する管理情報記載部が設けられている請求項１に記載の返信葉書付き配送ラベル。
【請求項３】
上記一方の貼着部における表面側に、上記配送先情報記載部に記載される配送情報に関連する情報を記載する管理情報記載部と受領確認部が設けられている控票が剥離可能に重ね合わされている請求項１または請求項２に記載の返信葉書付き配送ラベル。
【発明の詳細な説明】
【０００１】
【発明の属する技術分野】
本発明は、配送物に貼着しその配送物に関する配送先情報を表示できるようにしたラベルであって、特に返信葉書を有するようにした返信葉書付き配送ラベルに関するものである。
【０００２】
【発明が解決しようとする課題】
従来、デパートなどの大規模小売り店舗や衣料、日用品などを取り扱うサービス業者などにおいては、注文された商品を送付する際に、予め管理された顧客データから配送物の送り先となる顧客住所氏名などの配送先情報をプリンタ装置に送り出して配送先情報が記載された配送票や配送ラベルなどを大量にして連続的に作成し、その配送票や配送ラベルなどをそれぞれ配送物に取り付けたり貼り付けたりして発送して発送業務の効率化が図られている。同様に、通信販売業者においても注文商品の発送時ばかりでなく、定期的に顧客側にカタログを送付する場合にも同様に配送票や配送ラベルを発行して配送物に貼り付けるようにしており、特に前記カタログを送付する場合には配送物がカタログであることを受取人側に分かり易くするため、また、購買意欲を奏し易くするために透明の包装袋にカタログを挿入した状態としており、その外側に配送ラベルを貼り付けるようにしている。さらに、このような通信販売のシステムでは、予め顧客住所氏名などの情報を記載した返信葉書も同封しており、新たな注文のために顧客側で葉書を用意したり返信葉書差し出し人情報など（即ち、顧客自身の住所や氏名などの情報）の余分な記入手間を顧客側にかけないようにしている。
しかしながら、顧客側の住所や氏名などの顧客情報を予め記載した返信葉書を同封するようにした場合、配送物に貼り付ける配送ラベルと同封する返信葉書とが別々に作成されていることから、その返信葉書の挿入時などにおいて、配送ラベルに記載された配送先情報と返信葉書に記載された返信差し出し人情報（顧客情報）とのマッチングミスが生じないように確認作業が必要となり、返信葉書を同封する場合にこの点で商品やカタログなどの発送業務が煩雑になるという問題が生じていた。
そこで本発明は上記事情に鑑み、返信差出人情報を記載した返信葉書を配送ラベルに一体的にして分離可能に設けるようにすることを課題とし、商品発送時の手間を軽減することを目的とする。
【０００３】
【課題を解決するための手段】
本発明は上記課題を考慮してなされたもので、基材の裏面に設けた粘着手段を介して台紙が重ね合わされたラベルであって、基材から台紙に達するミシン目などからなる二条の切り取り部により前記ラベルを返信葉書と、この返信葉書の両側に位置する一対の貼着部とに分離可能に区分し、前記返信葉書は、前記基材と台紙とが粘着手段を介して剥離困難に貼り合わされて表面に配送先情報記載部と返信先情報記載部とを有し裏面に注文情報記載部を有し、前記貼着部それぞれは、基材の裏面に設けた前記粘着手段が表面に剥離処理した台紙により剥離可能に覆われて、前記二条の切り取り部の外側に沿って貼着部側の台紙に基材に達しない深さにして入れられたスリットから台紙を剥離して貼着部側の粘着手段が表出可能に設けられていることを特徴とする返信葉書付き配送ラベルを提供して、上記課題を解消するものである。
そして、本発明において、上記少なくとも一方の貼着部における表面側に上記配送先情報記載部に記載される配送情報に関連する情報を記載する管理情報記載部が設けられているものとすることが良好であり、また、上記一方の貼着部における表面側に、上記配送先情報記載部に記載される配送情報に関連する情報を記載する管理情報記載部と受領確認部が設けられている控票が剥離可能に重ね合わされているものとすることが良好である。
【０００４】
【発明の実施の形態】
つぎに本発明を図１から図３に示す実施の形態に基づいて詳細に説明する。
図中１は返信葉書付き配送ラベルで、該返信葉書付きラベル１は図１に示すように返信葉書２とこの返信葉書２の両側にミシン目などからなる切り取り部３を介して分離可能に連接された二つの貼着部４、５と一方の貼着部４の表面側に重ね合わされている控票６とを備えているものである。そして、この配送ラベル１において、返信葉書２と両側の貼着部４、５とは、図２の断面で示されているように基材７と台紙８とが重ね合わされ、基材７の裏面に設けられた粘着剤からなる粘着手段９を介してその台紙８を貼り合わせられたラベルＡとして構成されているものであって、このラベルＡに対して基材７から台紙８に達するようにミシン目などを入れた前記切り取り部３によって一つの返信葉書２とその両側に位置する前記貼着部４、５とに分離可能に区分形成されているものである。そして、このようにラベルＡからなる一方の貼着部４に対して上述のように控票６が剥離可能に重ね合わされた構造としている。
【０００５】
上記返信葉書２においては、図１に示されているように表面（基材７の表面）に、配送物に関する受取人住所、氏名、配送物名などの配送先情報を記載する配送先情報記載部１０と、返信葉書２の返信先である住所や名称などの返信先情報を記載する返信先情報記載部１１とを有している。また、図３に示されているように、この返信葉書２の裏面（台紙８の裏面）には、返信葉書を差し出す側からの注文情報を記載するための注文情報記載部１２を有している。このように返信葉書２においては表面に配送先情報記載部１０と返信先情報記載部１１とが設けられ、裏面に注文情報記載部１２が設けられていることから、これらの記載部それぞれに所要の情報が記載された状態の返信葉書付き配送ラベル１を後述するように配送物に取り付けるようにすることで、表面側の配送先情報記載部１０に表示される情報にて配送物の配送業務が行なえるようになり、また、配送物を受け取った側においては、取り付けられている配送ラベル１から返信葉書２を取り外して、その裏面にある注文情報記載部１２に注文情報を記載すれば、後述するように予め配送ラベル１の発行の時点で返信先情報記載部１１に返信先情報が記載されているため、返送先情報を葉書差し出し人側で記載することなく、また、配送先情報記載部１０に表示されている情報がが、申込人となり申込人情報をも差し出し人側で記載することなく差し出すことのできる返信葉書が得られるようにしているものである。
【０００６】
ラベルＡの一部として構成されている上記貼着部４、５にあっては、台紙８の貼着手段側に面する表面に剥離処理１３が施され、この貼着部４、５における台紙８は剥離紙１４として構成されている。そして、上記返信葉書２の両側に設けた切り取り部３間の外側に沿うようにして貼着部４、５における前記台紙８、即ち、剥離紙１４には剥離紙側から基材７を分断しない深さにしたスリット１５が入れられており、スリット１５からラベル側縁側に位置する部分を剥ぎ取るようにすることで、そのスリット１５からラベル側縁側に位置している前記粘着手段９が表出可能に設けられているものとなっている。このように返信葉書付き配送ラベル１では、各貼着部４、５の剥離紙１４を剥ぎ取ることで粘着手段９を表出させ、この表出した粘着手段９を介して配送ラベル１を配送物に貼り付けることができるようにしている。
【０００７】
上記控票６は薄手の用紙片からなるものである。そして、上述したように上記一方の貼着部４の表面に重ね合わされていて、この控票６と一方の貼着部４とのそれぞれの重ね合わせ対向面に、互いに重ね合わせて所要の接着条件を加えることで剥離可能な接着力を生じるようになる接着手段１６が設けられており、この接着手段１６を介して控票６が一方の貼着部４の表面に剥離可能にして貼り合わされている。さらに、この控票６はその表面に、上記配送先情報記載部１０に記載される配送情報に関連する関連情報を記載するための管理情報記載部１７を有しているとともに、表面の所要個所に受領印部１８が設けられている。そして、管理情報記載部１６に所定情報（管理情報）が記載されている配送ラベル１を配送物に貼り付け、配送情報に従って配送した後に、配送物の受け渡しの時点で受取人側からの受領印を受け、配送員がこの控票６を矧ぎ取って手元に集めて配送完了後の管理票として使用する。
この配送ラベルでは控票に受領確認部として受領印部を設けているものであるが、受領印を受ける必要が無い場合にはその控票自体を貼り付けず、一方の貼着部に、その控票と同一構成の配送先情報記載部に関連する管理情報記載部を設けるようにすることができる。
【０００８】
上記構造の返送葉書付き配送ラベル１において、上記配送先情報記載部１０、返信先情報記載部１１、管理情報記載部１７は共にこの配送ラベル１の表面側に位置しているため、例えば、ノンインパクトプリンタなどのプリンタ装置を用いて各記載部に所要情報を印字出力することが容易になり、そして、前記プリンタ装置を用いることで各記載部に印字する情報を関連付けして出力することで、返信葉書２の配送先情報記載部１０に設ける配送先情報と控票６の管理情報記載部１７に設ける管理情報とのマッチングが簡単に行なえるものとなる。
【０００９】
【発明の効果】
以上説明したように、本発明の返信葉書付き配送ラベルは、基材の裏面に設けた粘着手段を介して台紙が重ね合わされたラベルであって、基材から台紙に達するミシン目などからなる二条の切り取り部により前記ラベルを返信葉書と、この返信葉書の両側に位置する一対の貼着部とに分離可能に区分し、前記返信葉書は、前記基材と台紙とが粘着手段を介して剥離困難に貼り合わされて表面に配送先情報記載部と返信先情報記載部とを有し裏面に注文情報記載部を有し、前記貼着部それぞれは、基材の裏面に設けた前記粘着手段が表面に剥離処理した台紙により剥離可能に覆われて、前記二条の切り取り部の外側に沿って貼着部側の台紙に基材に達しない深さにして入れられたスリットから台紙を剥離して貼着部側の粘着手段が表出可能に設けられていることを特徴とするものである。
このように注文用紙と配送ラベルにおける配送先情報表示用紙とを兼ねるようにして返送葉書が一体的に設けられてるため、従来のように返信葉書を別個として配送物内に収め入れる必要がなくなるとともに、従来行なっていた配送情報と返信葉書側の差出人情報とのマッチングを行なう必要もなくなり、配送物の送り出し作業が簡単なものとなる。さらに、返信葉書の表面に配送物に関した配送先情報を記載する配送先情報記載部と返信葉書自体に関する返信先情報を記載する返信先情報記載部とを、その返信葉書の表面に設け、また、一方の貼着部や控票を用いて前記返信葉書の表面側と同じ表面に関連情報記載部を設けるようにすれば、各記載部が配送ラベルの表面側に並び設けられた状態となり、印字処理に優れたノンインパクトプリンタを用いて情報出力処理を行なって、配送ラベル自体の発行が頗る効率的に行えるようになるなど、実用性に優れた効果を奏するものである。
【図面の簡単な説明】
【図１】本発明に係る返信葉書付き配送ラベルの実施例における表面側を示す説明図である。
【図２】同じく実施例を断面で示す説明図である。
【図３】同じく実施例の裏面側を示す説明図である。
【符号の説明】
１…返信葉書付き配送ラベル
２…返信葉書
３…切り取り部
４、５…貼着部
６…控票
９…粘着手段
１０…配送先情報記載部
１１…返信先情報記載部
１２…注文情報記載部
１４…剥離紙
１７…管理情報記載部
Ａ…ラベル
【図１】
0003740633.tif 000002
【図２】
0003740633.tif 000003
【図３】
0003740633.tif 000004